(57)【要約】【解決手段】本発明は、負荷時タップ切換器のための蓄勢機構に関し、この蓄勢機構の場合、駆動軸によって操作可能な昇降スライダー８、および、それ自身で切換開閉器へと案内する従動軸を操作する、従動部材９が設けられており、その際、公知の方法で、これら両方の構造部材の間に、昇降ばね１０が設けられている。両方の構造部材は、案内ロッド６、７によって、縦に、摺動可能に案内されており、これら案内ロッドが、側方で重なり合って設けられている。従動部材９は、有歯部を有しており、および、解除の後の従動部材の長手方向移動が、この有歯部、および係合された歯車２７によって、直接的に、従動軸２８の回転運動に伝達される。
2004511904.tif 000002
【特許請求の範囲】
【請求項１】
負荷時タップ切替器のための蓄勢機構であって、
その際、長手方向に移動可能な、駆動軸と結合状態にある昇降スライダー、および、同様に長手方向に移動可能な、従動軸と結合状態にある従動部材が、設けられており、
その際、昇降スライダーおよび従動部材が、少なくとも２つの、これら昇降スライダーおよび従動部材の移動方向に延在する、平行な案内ロッドによって案内されており、
その際、昇降スライダーと従動部材との間に、少なくとも１つの昇降ばねが、設けられており、
その際、この昇降スライダーが、この負荷時タップ切替器のそれぞれの切換えの際に、回転する駆動軸によって、２つの方向の内のそれぞれ１つの方向に、少なくとも１つの昇降ばねが緊張可能であるように、直線状に移動可能であり、
および、その際、この昇降スライダーの新しい最終位置に到達の後、
その時まで固定されていた従動部材は、この従動部材が飛躍的に、この昇降スライダーの直線状の移動方向に従うように解除可能である、
様式の上記蓄勢機構において、
少なくとも２つの平行な案内ロッド（６、７）が、側方に、重なり合って垂直方向の面内において設けられていること、
従動部材（９）が、昇降スライダー（８）を、断面において部分的に囲繞すること、
この従動部材（９）が、この従動部材の移動方向において延在する有歯部（２６）を有していること、および、
従動軸（２８）と結合する歯車（２７）が、この有歯部（２６）と係合状態にあるように構成されていること、
を特徴とする蓄勢機構。
【請求項２】
少なくとも２つの平行な案内ロッド（６、７）は、側方に、重なり合って垂直方向の、駆動軸（１１）および従動軸（２８）の軸線方向と一致する面内において設けられていることを特徴とする請求項１に記載の蓄勢機構。
【請求項３】
有歯部（２６）は、ラックとして形成されていることを特徴とする請求項１または２に記載の蓄勢機構。
【請求項４】
水平方向の軸受板（１）は、蓄勢機構の担持する部材として設けられており、この軸受板上に、案内ロッド（６、７）が、およびこれら案内ロッドに案内された状態で、昇降スライダー（８）および従動部材（９）が設けられていることを特徴とする請求項１から３のいずれか一つに記載の蓄勢機構。
【請求項５】
軸受板（１）上に、ステーター（４）が、更なる担持部材として固定されており、このステーターに、他方また、案内ロッド（６、７）が設けられていることを特徴とする請求項４に記載の蓄勢機構。
【請求項６】
制動装置（３５）は、軸受板（１）に設けられており、この制動装置が、少なくとも１つの、従動軸（２８）と結合状態にあるストッパーと対応しているように構成されていることを特徴とする請求項１から５のいずれか一つに記載の蓄勢機構。
【発明の詳細な説明】
【０００１】
本発明は、特許請求項１の上位概念による、負荷時タップ切換器のための蓄勢機構に関する。このような蓄勢機構は、ドイツ連邦共和国特許第１９　５６　３６９号明細書、およびドイツ連邦共和国特許第２８　０６　２８２号明細書から、既に公知である。
【０００２】
この様式の蓄勢機構は、負荷時タップ切換器の切換開閉器の飛躍的な操作のために使用され、および、この蓄勢機構が、この負荷時タップ切換器のそれぞれの使用の開始時に、この負荷時タップ切換器の駆動軸により付勢され（巻き上げられ）、即ち緊張される。この蓄勢機構は、基本的に、昇降スライダー、およびしばしば除勢スライダー（Ｓｐｒｕｎｇｓｃｈｌｉｔｔｅｎ）とも称される従動部材から成り、これらの間に、一つまたは多数の蓄勢機構ばねが、エネルギーアキュムレーターとして設けられている。
【０００３】
昇降スライダーは、その際、駆動軸と結合された偏心ディスクによって、従動部材に対して相対的に、直線状に移動し、このことによって、その中間に設けられている蓄勢機構ばねが緊張される。この昇降スライダーが、この昇降スライダーの新しい最終位置に到達した場合、この従動部材の固定は解除され、且つこの従動部材がこれに伴って解放される。この従動部材は、ここで、緊張された蓄勢機構ばねの力のもとにあるので飛躍的に、この昇降スライダーの先行する直線状の移動を、同様に直線状に後続する。この飛躍的な直線状の従動部材の移動は、スライダーブロックおよびクランクを介して、駆動軸の回転移動へと変換される。この、その場合に飛躍的な回転する従動軸は、他方また、負荷時タップ切換器の切換開閉器の操作のために、即ち、負荷のもとでの、これまでの巻線タップと新しく予備選択された巻線タップとの間の切換えのために使用される。
【０００４】
この公知の蓄勢機構は、しかしながら、多数の欠点を有している。従動部材の回転運動への、スライダーブロックおよびピン、並びにクランクを介しての従動部材の直線状の移動の変換によって、一様でない力伝達、もしくは運動変換が生じる。更に、運動変換のこの様式、およびこのクランクにおける、その際に実際的に可能なレバー挙動によって、従動軸の、その都度に結果として生じる回転角度は、それぞれの切換えにおいて限定されている。公知の蓄勢機構の実際的な実施形態において、この回転角度は、約７５度である。この回転角度は、他方また、切換開閉器の操作、即ち非遮断性の切換えのために使用される最大に可能な切換時間を限定する。特にこのような切換様式を有する多数の切換開閉器　−これら切換開閉器において、それぞれの操作の際、多数の接触子が、例えば機械的な接触子と同様に真空スイッチセル（Ｖａｋｕｕｍｓｃｈａｌｔｚｅｌｌｅ）も、予め定められた操作シーケンスにおいて、順々に操作されねばならない−　のために、公知の蓄勢機構でもって可能な、上述されているように限定された回転角度から与えられる切換時間は、十分ではない。結局のところ、公知の蓄勢機構は、著しい所要スペースを必要とする。何故ならば、昇降スライダー、蓄勢機構ばね、および従動部材が、重なり合って、異なる水平方向の面内において設けられているからである。
【０００５】
従って、本発明の課題は、均等な運動変換を許容し、切換開閉器において、明確に従動軸のより大きな回転角度、および結果において、明確により長い切換時間を可能にし、且つそれに加えて、場所を取らないようにおよび機械的に簡単に構成されている、冒頭に記載した様式の蓄勢機構を提供することである。
【０００６】
この課題は、本発明に従い、特許請求項１の特徴を有する蓄勢機構によって解決される。従属請求項は、特に有利な、本発明の更なる構成に関連する。
【０００７】
確かに、ドイツ連邦共和国特許第１９９　１３　８１４号明細書から、既に、冒頭に記載した様式の蓄勢機構の従動部材が、それぞれのこの従動部材の両方の長手方向側面において、それぞれ１つの内方へと整向された、平行な長手方向有歯部を有しており、この長手方向有歯部内に、この従動部材の解除方向に依存して、この従動軸と結合状態にある歯車が、選択的に係合可能であることは公知である。この公知の配設は、しかしながら、この蓄勢機構の昇降方向に依存せずに、この従動軸が、常に同じ方向で回転されるために使用され、それのために、特別の付加的な装置が、この長手方向有歯部の異なる側面への、この歯車の相応して制御された係合のために必要である。このことは、そこで説明された蓄勢機構を、付加的に複雑にし、且つ、その他の公知技術により元来必要であるよりも、更により多くの場所を要求する。本発明のために、この公知の解決策は、何ひとつ寄与しない。
【０００８】
次に、本発明を、図に基づいて例示的に、更に詳しく説明する。
【０００９】
先ず第一に、本発明の蓄勢機構の機械的な構造が説明されねばならない。軸受板１上に、固定附設部２、３が設けられており、これら固定附設部に、絶縁材料から成るステーター４が固定されている。この軸受板１、およびこの軸受板に固定されたステーター４は、中央の担持部材を、全ての、以下で詳細に説明される、本発明による蓄勢機構の構造部材のためのものである。この軸受板１は、中央の開口部５を有しており、この開口部については、更に下方で、なお詳細に説明する。このステーター４の側方において、垂直方向に、ある程度の間隔をおいて重なり合って位置する、２つの案内ロッド６、７が固定されている。その中間に、昇降スライダー８が設けられており、この昇降スライダーは、これら案内ロッド６、７によって、直線状に移動可能に案内されている。これら案内ロッド６、７の周囲の領域において、更に、従動部材９が設けられており、この従動部材は、同様に、これら案内ロッド６、７によって、直線状に移動可能に案内されている。従って、昇降スライダー８および従動部材９は、互いに中へ入れ子式に構成されており、このことは、図２の左側の側面から、および特に図３から明確に認識可能である。この昇降スライダー８と従動部材９との間に、２つの昇降ばね１０が設けられており、これら昇降ばねは、それぞれに、両方の案内ロッド６、もしくは７を囲んで延在している。上から、駆動軸１１が、この蓄勢機構の領域内へと通じており、この駆動軸は、この駆動軸の自由な端部において、偏心ディスク１２を有している。この偏心ディスク１２は、２つの連行ブロック１３、１４と対応しており、これら連行ブロックが、昇降スライダー８に固定されている。この駆動軸１１が回転した際、即ち、回転方向に応じて、この偏心ディスク１２は、連行ブロック１３、もしくは１４に突き当たり、且つ、これに伴って、この昇降スライダー８を、直線状に右側に、または左側に、これら案内ロッド６、７上で摺動する。この昇降スライダー８の側方に、更に、輪郭部１５が図示されており、この輪郭部内に、ローラ１６が案内されており、このローラが、往復動ロッド１７と結合状態にある。この往復動ロッド１７は、軸受板１内における更なる開口部１８を通って、下に向かって負荷切換開閉器の領域内へと案内されており、そこで、この負荷切換開閉器のカムディスク等々の摺動、および切換手段の操作の役目を、異なる水平方向の面内において、果たしている。このような往復動機構は、前もって周知の国際出願公開第８９／０８９２４号明細書から、既に公知である。この往復動機構は、本発明に、直接的には所属しないので、この往復動機構は、ここでは更には説明しない。このステーター４の下側において、２つの留め金１９、２０が設けられており、これら留め金は、それぞれに、留め金軸受２１、２２内において軸受されており、且つ、これら留め金の間で、留め金ばね２３が設けられている。これら留め金の自由な端部は、この従動部材９の係止部２４もしくは２５と、対応している。これら留め金１９、２０は、留め金ローラ３１、３２によって操作され、これら留め金ローラが、それ自体公知の方法で、図示されていない昇降スライダー８の解除輪郭部上を転動する。
【００１０】
更に、従動部材９は、この従動部材の下側面に沿って、ほぼ、直線状の歯付きセグメント、またはラックの様式の、有歯部２６を有している。歯車２７は、この有歯部２６と、恒常的な係合状態にあり、この歯車が、強固に、中央の開口部５を通って案内された従動軸２８と結合されている。蓄勢機構の下方に、長手方向有歯部２９を有する従動軸２８が示されており、この長手方向有歯部上で、上記されたここで図示されていないカムディスク等々が、上述された往復動機構によって高さ摺動可能に案内されている。
【００１１】
上述された輪郭部１５の下方に、そのうえ、更なる案内輪郭部３３が示されており、この案内輪郭部は、昇降スライダー８の移動方向に延在しており、この案内輪郭部内において、案内ロール３４が案内されている。この付加的な案内は、しかしながら、必ずしも必要ではない。
【００１２】
本発明による蓄勢機構の作用の仕方は、以下の通りである；
それぞれの切換えの開始のために、駆動軸１１、およびこの駆動軸と共に偏心ディスク１２が回転し、この偏心ディスクが、両方の連行ブロック１３または１４の内の１つの連行ブロックに突き当たり、且つ昇降スライダー８を、回転方向に依存して、右側または左側の方へ、案内ロッド６、７上で摺動する。この従動部材９に対して相対的な昇降スライダー８の摺動によって、その中間に設けられた昇降ばね１０が緊張される。この昇降スライダー８が、この昇降スライダーの新しい最終位置に到達した場合、この移動方向に依存して、両方の留め金ローラ３１または３２の内の１つの留め金ローラが、図示されていない解除輪郭部に突き当たる。続いて、相応する留め金１９または２０が、従動部材９のその都度の係止部２４または２５　−この係止部でもって、この留め金がこれまで係合状態にあった−　から転出される。その時まで固定されていた従動部材９は、ここで、飛躍的に、昇降スライダー８の移動の後を追う。この従動部材９は、その際に同様に、これら案内ロッド６、７で案内されており；この飛躍的な移動によって、昇降ばね１０は弛緩する。この従動部材９が、この昇降スライダーの新しい最終位置に到達した場合、留め金１９または２０の内の１つの留め金は、再び、その都度の係止部２４または２５と係止状態になり、且つ、従動部材９を再び固定する。上記された飛躍的な直線状の、従動部材９の移動において、この移動を共に実行する有歯部２６によって、従動軸２８上の歯車２７が連行され、および従って、この従動軸２８が回転される。適当な有歯部２６の寸法設定、例えば、歯の数、大きさ、および様式によって、および、対応する歯車２７の寸法設定、例えばこの歯車の直径によって、簡単な方法で、広い限度の状態で、この従動軸２８の結果として生じる回転角度は、選択可能である。更に、担持舌状部３０が、軸受板１に沿って示されており、これら担持舌状部でもって、この軸受板１は、例えば、負荷時タップ切換器の油容器に、多様な方法で固定される。
【００１３】
付加的に、軸受板１上に、制動装置３５を配置することも可能であり、この制動装置は、一つまたは多数の図示されていない、それ自体で従動軸２８または歯車２７と結合状態にあるストッパーと対応している。このことによって、この従動軸２８の飛躍的な移動の制動が、短時間に、その都度の新しい最終位置への到達の前に、簡単な方法で可能となる。
【００１４】
本発明による蓄勢機構の特別な利点は、そのことが更に上述されているように、先ず第一に、従動軸に対しての、簡単なおよび均等な運動伝達にある。更なる利点は、同様に上述されているように、その都度の切換開閉器の、これまた同様に、数、様式、および個々に操作されるべき切換手段のシーケンスに依存する、種々の要件に対する、従動軸２８の必要な回転角度への簡単な適合可能性にある。本発明による蓄勢機構は、特に、場所を取らないで構成されている。このことは、昇降スライダー８および従動部材９が、互いに中へ入れ子式に、案内ロッド６、７の周囲に構成されており、且つこの従動部材９がこの昇降スライダー８を断面において部分的に囲繞することによる。
【図面の簡単な説明】
【図１】
斜め上から透視した、全て整った本発明による蓄勢機構の図である。
【図２】
斜め下から透視した、蓄勢機構の個別の構成要素の図であり、その際、所定の部材は、良好な図示のために省略されている。
【図３】
概略的な図示における、抜粋した横からの断面図である。
【符号の説明】
１　　軸受板
２　　固定附設部
３　　固定附設部
４　　ステーター
５　　中央の開口部
６　　案内ロッド
７　　案内ロッド
８　　昇降スライダー
９　　従動部材
１０　昇降ばね
１１　駆動軸
１２　偏心ディスク
１３　連行ブロック
１４　連行ブロック
１５　輪郭部
１６　ローラ
１７　往復動ロッド
１８　更なる開口部
１９　留め金
２０　留め金
２１　留め金軸受
２２　留め金軸受
２３　留め金ばね
２４　係止部
２５　係止部
２６　有歯部
２７　歯車
２８　従動軸
２９　長手方向有歯部
３０　担持舌状部
３１　留め金ローラ
３２　留め金ローラ
３３　案内輪郭部
３４　案内ロール
３５　制動装置
【国際公開パンフレット】
2004511904.tif 000003
2004511904.tif 000004
2004511904.tif 000005
2004511904.tif 000006
2004511904.tif 000007
2004511904.tif 000008
2004511904.tif 000009
2004511904.tif 000010
2004511904.tif 000011
2004511904.tif 000012
2004511904.tif 000013
2004511904.tif 000014
【手続補正書】
【提出日】平成14年3月26日(2002.3.26)
【手続補正１】
【補正対象書類名】明細書
【補正対象項目名】特許請求の範囲
【補正方法】変更
【補正の内容】
【特許請求の範囲】
【請求項１】
負荷時タップ切替器のための蓄勢機構であって、
その際、長手方向に移動可能な、駆動軸と結合状態にある昇降スライダー、および、同様に長手方向に移動可能な、従動軸と結合状態にある従動部材が、設けられており、
その際、昇降スライダーおよび従動部材が、少なくとも２つの、これら昇降スライダーおよび従動部材の移動方向に延在する、平行な案内ロッドによって案内されており、
その際、昇降スライダーと従動部材との間に、少なくとも１つの昇降ばねが、設けられており、
その際、この昇降スライダーが、この負荷時タップ切替器のそれぞれの切換えの際に、回転する駆動軸によって、２つの方向の内のそれぞれ１つの方向に、少なくとも１つの昇降ばねが緊張可能であるように、直線状に移動可能であり、
および、その際、この昇降スライダーの新しい最終位置に到達の後、
その時まで固定されていた従動部材は、この従動部材が飛躍的に、この昇降スライダーの直線状の移動方向に従うように解除可能である、
様式の上記蓄勢機構において、
少なくとも２つの平行な案内ロッド（６、７）が、駆動軸（１１）および従動軸（２８）の側方に、重なり合って垂直方向の、この駆動軸（１１）およびこの従動軸（２８）の軸線方向と一致する面内において設けられていること、
従動部材（９）が、昇降スライダー（８）を、断面において部分的に囲繞すること、
この従動部材（９）が、外側の下側の長手方向側面において、この従動部材の移動方向において延在する有歯部（２６）を有していること、および、
強固に、従動軸（２８）に結合された歯車（２７）が、この有歯部（２６）と係合状態にあるように構成されていること、
を特徴とする蓄勢機構。
【請求項２】
有歯部（２６）は、ラックとして形成されていることを特徴とする請求項１に記載の蓄勢機構。
【請求項３】
水平方向の軸受板（１）は、蓄勢機構の担持する部材として設けられており、この軸受板上に、案内ロッド（６、７）が、およびこれら案内ロッドに案内された状態で、昇降スライダー（８）および従動部材（９）が設けられていることを特徴とする請求項１または２に記載の蓄勢機構。
【請求項４】
軸受板（１）上に、ステーター（４）が、更なる担持部材として固定されており、このステーターに、他方また、案内ロッド（６、７）が設けられていることを特徴とする請求項３に記載の蓄勢機構。
【請求項５】
制動装置（３５）は、軸受板（１）に設けられており、この制動装置が、少なくとも１つの、従動軸（２８）と結合状態にあるストッパーと対応しているように構成されていることを特徴とする請求項３または４に記載の蓄勢機構。
【国際調査報告】
2004511904.tif 000015
2004511904.tif 000016
2004511904.tif 000017
2004511904.tif 000018